(57)【特許請求の範囲】
【請求項１】
天井または壁面に施工配線された取付ベースに、火災警報機能付きガス漏れ警報器の取付面を装着し、前記取付ベースに施工された配線に対して、前記火災警報機能付きガス漏れ警報器より火災情報の外部出力を行う火災警報機能付きガス漏れ警報器における火災情報の外部出力方法であって、
前記火災警報機能付きガス漏れ警報器用取付面の外周よりも内側で、ガス漏れ警報器用取付面の外周よりも外側に設けられた一対の火災外部出力用ピンを介し、前記取付ベース内部に施工された配線に対して、前記火災情報の外部出力を行うことを特徴とする火災警報機能付きガス漏れ警報器における火災情報の外部出力方法。
【請求項２】
前記火災警報機能付きガス漏れ警報器用取付面に対向する取付ベースは、前記火災警報機能付きガス漏れ警報器用取付面と同一の外周および形状を有する火災警報機能付きガス漏れ警報器用取付ベースであることを特徴とする請求項１に記載の火災警報機能付きガス漏れ警報器における火災情報の外部出力方法。
【請求項３】
前記火災警報機能付きガス漏れ警報器用取付面は、
前記ガス漏れ警報器用取付面外周よりも内側に、ガス漏れ警報器情報の外部出力を行うための一対のガス外部出力用ピンと、
前記火災警報機能付きガス漏れ警報器用取付面を火災警報機能付きガス漏れ警報器用取付ベースに装着すると共に火災警報機能付きガス漏れ警報器に動作電源を供給する折り曲げ部を有する一対の装着（電源）金具と、
を備え、
前記火災警報機能付きガス漏れ警報器用取付ベースは、
一対の火災外部出力ピン用接続穴と、
一対のガス外部出力ピン用接続穴と、
一対の装着（電源）金具用接続穴と、
を備え、
前記火災外部出力用ピンは前記火災外部出力ピン用接続穴を貫通し、
前記ガス外部出力用ピンは前記ガス外部出力ピン用接続穴を貫通し、
前記装着（電源）金具は前記装着（電源）金具用接続穴を貫通して、
それぞれ火災警報機能付きガス漏れ警報器用取付ベース内部に設けられた配線と接続される、
ことを特徴とする請求項２に記載の火災警報機能付きガス漏れ警報器における火災情報の外部出力方法。
【請求項４】
前記火災警報機能付きガス漏れ警報器用取付ベースは、ガス漏れ警報器を装着可能であることを特徴とする請求項１乃至３に記載の火災警報機能付きガス漏れ警報器における火災情報の外部出力方法。
【請求項５】
ガス漏れ警報器用取付ベースは、前記火災警報機能付きガス漏れ警報器を装着可能であることを特徴とする請求項１乃至３に記載の火災警報機能付きガス漏れ警報器における火災情報の外部出力方法。
【請求項６】
前記火災警報機能付きガス漏れ警報器用取付面またはガス漏れ警報器用取付面に設けられた一対の装着（電源）金具と、
前記火災警報機能付きガス漏れ警報器用取付ベースに設けられた前記装着（電源）金具用接続穴と、
が勘合することによって、
前記火災警報機能付きガス漏れ警報器またはガス漏れ警報器は、前記火災警報機能付きガス漏れ警報器用取付ベースに装着される、
ことを特徴とする請求項４に記載の火災警報機能付きガス漏れ警報器における火災情報の外部出力方法。
【請求項７】
前記火災警報機能付きガス漏れ警報器用取付面に設けられた一対の装着（電源）金具と、
ガス漏れ警報器用取付ベースに設けられた装着（電源）金具用接続穴と、
が勘合することによって、
前記火災警報機能付きガス漏れ警報器は、前記ガス漏れ警報器用取付ベースに装着される、
ことを特徴とする請求項５に記載の火災警報機能付きガス漏れ警報器における火災情報の外部出力方法。
【発明の詳細な説明】
【０００１】
【発明の属する技術分野】
本発明は、火災警報機能付きガス漏れ警報器（以下、単にガス火災警報器ともいう）に係り、特に火災警報機能付きガス漏れ警報器における火災情報の外部出力方法に関する。
【０００２】
【従来の技術】
ガス漏れ警報器と、ガス漏れ警報器により検出された各種の警報情報に基づいて所定の処理を行う監視装置とからなるガス漏れ警報システムは、集合住宅や業務用施設等で使用される。一般に、ガス漏れ警報器は、例えば各住戸において、ガス漏れの発生しやすい場所で、且つ漏れたガスを検出しやすい天井や壁面等に複数設置され、監視装置は管理人室等に設置される。ガス漏れ警報器はそれぞれ信号線を介して監視装置と接続されていて、警報器の情報（待機／ガス漏れ警報／一酸化炭素警報／故障等）をそれぞれ監視装置に伝達する。
【０００３】
ところで、ガス漏れ警報器はメンテナンスの関係上、ベース部とセンサーヘッド部とに分かれており、ベース部は天井や壁面に適宜方法にて取り付けられ、センサーヘッド部はベース部に着脱自在に装着されるようになっている。
図６はこのようなガス漏れ警報器の一例を示した図である。図６（ａ）は天井取付型ガス漏れ警報器２１の正面図であり、図６（ｂ）は側面図であり、図６（ｃ）は背面図である。
【０００４】
図６に示す如くに、ガス漏れ警報器２１の前面には、ガス漏れや一酸化炭素検知を行うための空気を通す２つの通風口２２と、ガス漏れや一酸化炭素が検知された場合に、音声により外部（警報器近辺）に警報を通知（発生）するスピーカ２３と、光により外部（警報器近辺）に警報を通知（発生）したり、警報器の状態などを通知する外部表示ランプ２４が設けられている。
【０００５】
また、ガス漏れ警報器２１の背面には、ガス漏れ警報器２１のガス漏れ警報器用取付面３ａと後述のガス漏れ警報器用取付ベース（以下、旧取付ベースともいう）３ｂとを装着すると共に、ガス漏れ警報器２１に動作電源（ＡＣ１００Ｖ）を供給する折り曲げ部８ａを有する一対の装着（電源）金具７ａと、ガス漏れ警報器２１が発生するガス漏れ警報器情報（待機／ガス漏れ警報／一酸化炭素警報／故障等）を外部装置（図示しない監視装置等）に出力するための一対のガス外部出力用ピン６ａが設けられている。
【０００６】
一方、図７に示す如くに、天井に施工配線されたガス漏れ警報器用取付ベース３ｂには、一対のガス外部出力ピン用接続穴６ｂと端部に挿入口８ｂを有する一対の装着（電源）金具用接続穴７ｂが設けられており、ガス漏れ警報器用取付ベース３ｂにガス漏れ警報器用取付面３ａが装着されることにより、ガス漏れ警報器用取付面３ａに設けられたガス外部出力用ピン６ａは、図８に示す一対の端子２６を介してガス外部出力用信号線９と、装着（電源）金具７ａは一対の端子２７を介して電源用配線１０とそれぞれ接続される。
【０００７】
これにより、ガス漏れ警報器２１は、電源用配線１０より動作用の電源を受け、ガス外部出力用信号線９にガス漏れ警報器情報（待機／ガス漏れ警報／一酸化炭素警報／故障等）を出力する。尚、図７はガス漏れ警報器用取付ベースを示す図であり、図８はガス漏れ警報器用取付ベースの内部配線を示す図である。
【０００８】
次に、ガス漏れ警報器用取付ベース３ｂにガス漏れ警報器用取付面３ａを装着するための最も一般的な方法について図９を参照して説明する。図９は照明器具を天井に設けられた取付ベースに取り付けるところを示した図である。
図９に示す如くに、図示しない天井に施工配線された取付ベース３０ｂには一対のガイド穴２９が設けられており、ガイド穴２９の一端には、後述の装着（電源）金具３１の折り曲げ部３１ａを挿入可能な一対の挿入口２８が設けられている。また、取付ベース３０ｂに装着される照明器具３２の上部に設けられた取付面３０ａには、取付面３０ａを取付ベース３０ｂに装着すると共に照明器具３２に動作電源（ＡＣ１００Ｖ）を供給する折り曲げ部３１ａを有する一対の装着（電源）金具３１が設けられている。
【０００９】
以上の構成において、装着（電源）金具３１の折り曲げ部３１ａを挿入口２８に挿入し、照明器具３２（取付面３０ａ）を、図９に示す矢印の方向に回転させる。そして、装着（電源）金具３１がガイド穴２９の他端（挿入口２８の反対側端部）で止まるまで回すことにより、照明器具３２（取付面３０ａ）と取付ベース３０ｂとが固定され、照明器具３２が図示しない天井等に装着（固定）される。
【００１０】
上述と同様の要領にて、ガス漏れ警報器２１のガス漏れ警報器用取付面３ａに設けられた一対の装着（電源）金具７ａの折り曲げ部８ａを、ガス漏れ警報器用取付ベース３ｂに設けられた一対の装着（電源）金具用接続穴７ｂの挿入口８ｂに挿入し、ガス漏れ警報器２１を、装着（電源）金具用接続穴７ｂの挿入口８ｂが設けられている側と反対の端部方向に回転させる。
【００１１】
そして、装着（電源）金具７ａが装着（電源）金具用接続穴７ｂ（挿入口８ｂの反対側端部）で止まるまで回すことにより、ガス漏れ警報器２１とガス漏れ警報器用取付ベース３ｂとが固定され、ガス漏れ警報器２１が天井５に装着（固定）される。図１０にガス漏れ警報器２１を天井に施工配線されたガス漏れ警報器用取付ベース３ｂに装着した状態を示す。
【００１２】
ところで、近年、上記天井取付型ガス漏れ警報器に火災警報機能を備えた火災警報機能付き天井取付型ガス漏れ警報器（天井取付型ガス火災警報器）が普及しつつあるが、この種の天井取付型ガス火災警報器は、上記のガス外部出力とは別に火災専用の接点出力（火災外部出力）を有するため、上記従来の取付ベース（ガス漏れ警報器用取付ベース）と火災警報機能付き天井取付型ガス漏れ警報器との組み合わせによる方法では、火災外部出力を配線（外部出力用信号線）に接続（出力）できないという問題（欠点）があった。
【００１３】
【発明が解決しようとする課題】
以上、述べたように従来の天井取付型ガス漏れ警報器に火災警報機能を備えた火災警報機能付き天井取付型ガス漏れ警報器では、火災外部出力を配線（外部出力用信号線）と接続できないという問題（欠点）があった。
【００１４】
本発明は、上記問題に鑑みて為されたものであって、火災情報である火災外部出力信号を、配線（外部出力用信号線）と接続可能とする火災警報機能付きガス漏れ警報器における火災情報の外部出力方法を提供することを目的とするものである。
【００１５】
【課題を解決するための手段】
上記目的を達成するため、本発明により為された請求項１に記載の火災警報機能付きガス漏れ警報器における火災情報の外部出力方法は、図１に示す如くに、天井または壁面に施工配線された取付ベースに、火災警報機能付きガス漏れ警報器１の火災警報機能付きガス漏れ警報器用取付面２ａを装着し、前記取付ベースに施工された配線に対して、前記火災警報機能付きガス漏れ警報器１より火災情報の外部出力を行う火災警報機能付きガス漏れ警報器における火災情報の外部出力方法であって、前記火災警報機能付きガス漏れ警報器用取付面２ａの外周よりも内側で、ガス漏れ警報器用取付面３ａの外周よりも外側に設けられた一対の火災外部出力用ピン４ａを介し、前記取付ベース内部に施工された配線に対して、前記火災情報の外部出力を行うことを特徴とするものである。
【００１６】
上記請求項１に記載の発明は、一対の火災外部出力用ピン４ａを、火災警報機能付きガス漏れ警報器用取付面２ａの外周よりも内側で、且つガス漏れ警報器用取付面３ａの外周よりも外側に設け、火災警報機能付きガス漏れ警報器の火災情報を、火災外部出力用ピン４ａを介して取付ベース内部に施工された配線に対して出力するようにしたので、火災警報機能付きガス漏れ警報器を取り付けるための取付ベース（新取付ベース）の施工は、火災外部出力用の信号線を追加するのみで、従来と同様の方法で行えばよい。
【００１７】
また、本発明により為された請求項２に記載の火災警報機能付きガス漏れ警報器における火災情報の外部出力方法は、請求項１に記載の火災警報機能付きガス漏れ警報器における火災情報の外部出力方法において、前記火災警報機能付きガス漏れ警報器用取付面に対向する取付ベースが、前記火災警報機能付きガス漏れ警報器用取付面と同一の外周および形状を有する火災警報機能付きガス漏れ警報器用取付ベースであることを特徴とするものである。
【００１８】
上記請求項２に記載の発明は、火災警報機能付きガス漏れ警報器用取付面に対向する新取付ベース径を、前記火災警報機能付きガス漏れ警報器用取付面と同径となるようにしたものである。
また、本発明により為された請求項３に記載の火災警報機能付きガス漏れ警報器における火災情報の外部出力方法は、請求項２に記載の火災警報機能付きガス漏れ警報器における火災情報の外部出力方法において、前記火災警報機能付きガス漏れ警報器用取付面が、前記ガス漏れ警報器用取付面外周よりも内側に、ガス漏れ警報器情報の外部出力を行うための一対のガス外部出力用ピンと、前記火災警報機能付きガス漏れ警報器用取付面を火災警報機能付きガス漏れ警報器用取付ベースに装着すると共に火災警報機能付きガス漏れ警報器に動作電源を供給する折り曲げ部を有する一対の装着（電源）金具と、を備え、前記火災警報機能付きガス漏れ警報器用取付ベースが、一対の火災外部出力ピン用接続穴と、一対のガス外部出力ピン用接続穴と、一対の装着（電源）金具用接続穴と、を備え、前記火災外部出力用ピンは前記火災外部出力ピン用接続穴を貫通し、前記ガス外部出力用ピンは前記ガス外部出力ピン用接続穴を貫通し、前記装着（電源）金具は前記装着（電源）金具用接続穴を貫通して、それぞれ火災警報機能付きガス漏れ警報器用取付ベース内部に設けられた配線と接続される、ことを特徴とするものである。
【００１９】
上記請求項３に記載の発明は、火災警報機能付きガス漏れ警報器用取付面に、火災情報の外部出力を行うための一対の火災外部出力用ピンとガス漏れ警報器情報の外部出力を行うための一対のガス外部出力用ピンと前記火災警報機能付きガス漏れ警報器を新取付ベースに取り付けると共に動作電源を供給する折り曲げ部を有する一対の装着（電源）金具とを設け、新取付ベースに一対の火災外部出力ピン用接続穴と一対のガス外部出力ピン用接続穴と一対の装着（電源）金具用接続穴とを設け、前記一対の火災外部出力ピン用接続穴と一対のガス外部出力ピン用接続穴と一対の装着（電源）金具用接続穴を貫通して、前記一対の火災外部出力用ピンと一対のガス外部出力用ピンと一対の装着（電源）金具が新取付ベース内部に設けられた配線と接続されるようにした（従来と同様とした）ものである。
【００２０】
また、本発明により為された請求項４に記載の火災警報機能付きガス漏れ警報器における火災情報の外部出力方法は、請求項１乃至３に記載の火災警報機能付きガス漏れ警報器における火災情報の外部出力方法において、前記火災警報機能付きガス漏れ警報器用取付ベースが、ガス漏れ警報器を装着可能であることを特徴とするものである。
【００２１】
上記請求項４に記載の発明は、前記一対のガス外部出力用ピンと一対の装着（電源）金具と、前記一対のガス外部出力ピン用接続穴と一対の装着（電源）金具用接続穴との対応関係は、従来のガス漏れ警報器とガス漏れ警報器用取付ベース（旧取付ベース）との対応関係と同様としているため、火災警報機能付きガス漏れ警報器用取付ベース（新取付ベース）にガス漏れ警報器（火災警報機能を持たない単なるガス漏れ警報器）をそのまま取り付け可能としたものである。
【００２２】
また、本発明により為された請求項５に記載の火災警報機能付きガス漏れ警報器における火災情報の外部出力方法は、請求項１乃至３に記載の火災警報機能付きガス漏れ警報器における火災情報の外部出力方法において、ガス漏れ警報器用取付ベースが、前記火災警報機能付きガス漏れ警報器を装着可能であることを特徴とするものである。
【００２３】
上記請求項５に記載の発明は、一対の火災外部出力用ピンを、火災警報機能付きガス漏れ警報器用取付面の外周よりも内側で、且つガス漏れ警報器用取付面の外周よりも外側に設けたので、旧取付ベースに火災警報機能付きガス漏れ警報器をそのまま装着した場合でも、火災警報機能付きガス漏れ警報器の火災外部出力用ピンと旧取付ベースとが互いに干渉することを無くしたものである。
【００２４】
また、本発明により為された請求項６に記載の火災警報機能付きガス漏れ警報器における火災情報の外部出力方法は、請求項４に記載の火災警報機能付きガス漏れ警報器における火災情報の外部出力方法において、前記火災警報機能付きガス漏れ警報器用取付面またはガス漏れ警報器用取付面に設けられた一対の装着（電源）金具と、前記火災警報機能付きガス漏れ警報器用取付ベースに設けられた前記装着（電源）金具用接続穴と、が勘合することによって、前記火災警報機能付きガス漏れ警報器またはガス漏れ警報器が、前記火災警報機能付きガス漏れ警報器用取付ベースに装着される、ことを特徴とするものである。
【００２５】
上記請求項６に記載の発明は、火災警報機能付きガス漏れ警報器に設けられた前記一対のガス外部出力用ピン及び一対の装着（電源）金具と、ガス漏れ警報器に設けられた前記一対のガス外部出力用ピン及び一対の装着（電源）金具とは同一の構成（規格）であり、且つ新取付ベースの前記一対のガス外部出力ピン用接続穴及び一対の装着（電源）金具用接続穴とは同一の構成（規格）であるため、前記火災警報機能付きガス漏れ警報器またはガス漏れ警報器の何れもを、新取付ベースに、そのまま装着可能としたものである。
【００２６】
また、本発明により為された請求項７に記載の火災警報機能付きガス漏れ警報器における火災情報の外部出力方法は、請求項５に記載の火災警報機能付きガス漏れ警報器における火災情報の外部出力方法において、前記火災警報機能付きガス漏れ警報器用取付面に設けられた一対の装着（電源）金具と、ガス漏れ警報器用取付ベースに設けられた装着（電源）金具用接続穴と、が勘合することによって、前記火災警報機能付きガス漏れ警報器が、前記ガス漏れ警報器用取付ベースに装着される、ことを特徴とするものである。
【００２７】
上記請求項７に記載の発明は、火災警報機能付きガス漏れ警報器に設けられた前記一対のガス外部出力用ピン及び一対の装着（電源）金具と、ガス漏れ警報器に設けられた前記一対のガス外部出力用ピン及び一対の装着（電源）金具とは同一の構成（規格）であり、且つ新取付ベースの前記一対のガス外部出力ピン用接続穴及び一対の装着（電源）金具用接続穴とは同一の構成（規格）であるため、また、火災警報機能付きガス漏れ警報器の火災外部出力用ピンと旧取付ベースとが互いに干渉することが無いため、火災警報機能付きガス漏れ警報器を旧取付ベースに、そのまま装着することを可能としたものである。
【００２８】
【発明の実施の形態】
以下、本発明の実施の形態について図面を参照して説明を行う。
図１は本発明の火災警報機能付きガス漏れ警報器の裏面と火災警報機能付きガス漏れ警報器用取付ベースを示した図である。図１（ａ）は火災警報機能付きガス漏れ警報器の裏面を示した図であり、図１（ｂ）は火災警報機能付きガス漏れ警報器用取付ベースを示した図である。
【００２９】
図１（ａ）に示す如くに、ガス火災警報器（火災警報機能付きガス漏れ警報器）１の背面には、火災警報機能付きガス漏れ警報器１の火災警報機能付きガス漏れ警報器用取付面２ａと後述の火災警報機能付きガス漏れ警報器用取付ベース（以下、新取付ベースともいう）２ｂとを装着すると共に、火災警報機能付きガス漏れ警報器１に動作電源（ＡＣ１００Ｖ）を供給する、折り曲げ部８ａを有する一対の装着（電源）金具７ａと、火災警報機能付きガス漏れ警報器１が発生するガス漏れ警報器情報（待機／ガス漏れ警報／一酸化炭素警報／故障等）を外部装置（図示しない監視装置等）に出力するための一対のガス外部出力用ピン６ａと、火災警報機能付きガス漏れ警報器用取付面２ａの外周よりも内側で、ガス漏れ警報器用取付面３ａの外周よりも外側に設けられた一対の火災外部出力用ピン４ａが設けられている。
【００３０】
また、図１（ｂ）に示す如くに、天井または壁面に施工配線された火災警報機能付きガス漏れ警報器（ガス火災警報器）用取付ベース２ｂには、一対の火災外部出力ピン用接続穴４ｂと一対のガス外部出力ピン用接続穴６ｂと端部に挿入口８ｂを有する一対の装着（電源）金具用接続穴７ｂが設けられており、火災警報機能付きガス漏れ警報器用取付ベース２ｂに、火災警報機能付きガス漏れ警報器用取付面２ａが装着されることにより、火災警報機能付きガス漏れ警報器用取付面２ａに設けられた火災外部出力用ピン４ａは火災外部出力ピン用接続穴４ｂを通って、ガス外部出力用ピン６ａはガス外部出力ピン用接続穴６ｂを通って、装着（電源）金具７ａは装着（電源）金具用接続穴７ｂを通って、それぞれ火災警報機能付きガス漏れ警報器用取付ベース２ｂの内部に設けられた、図示しない配線と接続され、図２に示す如くの火災外部出力用信号線１１，ガス外部出力用信号線９，並びに電源用配線（ＡＣ１００Ｖ）とそれぞれ接続される。
【００３１】
なお、このとき、火災警報機能付きガス漏れ警報器用取付ベース２ｂは、火災警報機能付きガス漏れ警報器用取付面２ａの火災外部出力用ピン４ａが内側となるように、そのベース径が決定されることは言うまでもない。
これにより、火災警報機能付きガス漏れ警報器１は、電源用配線１０より動作用の電源を受け、ガス外部出力用信号線９にガス漏れ警報器情報（待機／ガス漏れ警報／一酸化炭素警報／故障等）を出力し、火災外部出力用信号線１１に火災情報を出力する。図２は火災警報機能付きガス漏れ警報器１を天井に施工配線された火災警報機能付きガス漏れ警報器用取付ベース２ｂに装着した状態を示した図である。
【００３２】
次に、火災警報機能付きガス漏れ警報器用取付ベース２ｂに火災警報機能付きガス漏れ警報器用取付面２ａを装着するための方法（一例）について、図３を参照しながら簡単に説明する。図３は火災警報機能付きガス漏れ警報器を天井に設けられた取付ベースに取り付けるところを示した図である。
【００３３】
図３に示す如くに、火災警報機能付きガス漏れ警報器１の火災警報機能付きガス漏れ警報器用取付面２ａに設けられた一対の装着（電源）金具７ａの折り曲げ部８ａを、火災警報機能付きガス漏れ警報器用取付ベース２ｂに設けられた一対の装着（電源）金具用接続穴７ｂの挿入口８ｂにそれぞれ同時に挿入し、火災警報機能付きガス漏れ警報器１を、装着（電源）金具用接続穴７ｂの挿入口８ｂが設けられている側と反対の端部方向（図３の矢印方向）に回転させる。
【００３４】
そして、装着（電源）金具７ａが装着（電源）金具用接続穴７ｂ（挿入口８ｂの反対側端部）にぶつかり止まるまで回すことにより、火災警報機能付きガス漏れ警報器１と火災警報機能付きガス漏れ警報器用取付ベース２ｂとが固定され、火災警報機能付きガス漏れ警報器１が天井５に装着（固定）される。
【００３５】
次に、ガス漏れ警報器２１を本発明である火災警報機能付きガス漏れ警報器用取付ベース２ｂに装着した場合と、本発明である火災警報機能付きガス漏れ警報器１をガス漏れ警報器用取付ベース３ｂに装着した場合について、図４および図５を参照しながらそれぞれ説明する。図４はガス漏れ警報器２１を本発明である火災警報機能付きガス漏れ警報器用取付ベース２ｂに装着した状態を示した図であり、図５は本発明である火災警報機能付きガス漏れ警報器１をガス漏れ警報器用取付ベース３ｂに装着した状態を示した図である。
【００３６】
図４および図５において、火災警報機能付きガス漏れ警報器１およびガス漏れ警報器２１を構成する一対のガス外部出力用ピン６ａと、一対の装着（電源）金具７ａは同一である。また、火災警報機能付きガス漏れ警報器用取付ベース２ｂおよびガス漏れ警報器用取付ベース３ｂを構成する一対のガス外部出力ピン用接続穴６ｂと、一対の装着（電源）金具用接続穴７ｂは同一である。
【００３７】
これは、既述したように、火災警報機能付きガス漏れ警報器用取付ベース２ｂの施工は、従来（ガス漏れ警報器用取付ベース３ｂの施工）の方法と同様であり、従来にプラス（付加）するかたちで火災外部出力の配線（火災外部出力用信号線１１）を追加した内容となっているためである。したがって、火災警報機能付きガス漏れ警報器用取付ベース２ｂへの火災警報機能付きガス漏れ警報器１の取付並びに交換は、ガス漏れ警報器２１の場合（従来）と同様であり、道具や追加部品は不要である。
【００３８】
このことから、図４に示す如くに火災警報機能付きガス漏れ警報器用取付ベース２ｂにガス漏れ警報器２１を装着可能であり、図５に示す如くにガス漏れ警報器用取付ベース３ｂに火災警報機能付きガス漏れ警報器１を装着可能である。この際、図４においては、火災警報機能付きガス漏れ警報器用取付ベース２ｂの有する図２に示す火災外部出力用信号線１１が使用されない状態、即ちガス漏れ警報システムとしてのみ機能する。また、図５においては、火災警報機能付きガス漏れ警報器用取付面２ａの火災外部出力用ピン４ａが、ガス漏れ警報器用取付ベース３ｂと干渉することがないため、火災警報機能付きガス漏れ警報器１の有する火災警報機能が使用されない状態、即ち図４の場合と同様にガス漏れ警報システムとして機能（火災外部出力が不要な場合にはそのまま使用することが可能）することになる。
【００３９】
【発明の効果】
以上述べたように、上記請求項１に記載の発明によれば、一対の火災外部出力用ピンを、火災警報機能付きガス漏れ警報器用取付面の外周よりも内側で、且つガス漏れ警報器用取付面の外周よりも外側に設け、火災警報機能付きガス漏れ警報器の火災情報を、火災外部出力用ピンを介して取付ベース内部に施工された配線に対して出力するようにしたので、火災警報機能付きガス漏れ警報器を取り付けるための取付ベース（新取付ベース）の施工は、火災外部出力用の信号線を追加するのみで、従来と同様の方法で行えばよく、新規の施工技術（技能）や道具や追加部品を必要としない。
【００４０】
請求項２に記載の発明によれば、火災警報機能付きガス漏れ警報器用取付面に対向する新取付ベース径を、前記火災警報機能付きガス漏れ警報器用取付面と同径となるようにしたので、新規な道具や追加部品を必要とせずに新取付ベースへの火災警報機能付きガス漏れ警報器の取付や交換を従来通りの方法で容易に行うことができる。
【００４１】
請求項３に記載の発明によれば、火災警報機能付きガス漏れ警報器用取付面に、火災情報の外部出力を行うための一対の火災外部出力用ピンとガス漏れ警報器情報の外部出力を行うための一対のガス外部出力用ピンと前記火災警報機能付きガス漏れ警報器を新取付ベースに取り付けると共に動作電源を供給する折り曲げ部を有する一対の装着（電源）金具とを設け、新取付ベースに一対の火災外部出力ピン用接続穴と一対のガス外部出力ピン用接続穴と一対の装着（電源）金具用接続穴とを設け、前記一対の火災外部出力ピン用接続穴と一対のガス外部出力ピン用接続穴と一対の装着（電源）金具用接続穴を貫通して、前記一対の火災外部出力用ピンと一対のガス外部出力用ピンと一対の装着（電源）金具が新取付ベース内部に設けられた配線と接続されるようにした（従来と同様とした）ので、新規な道具や新規なスキル（熟練）や追加部品を必要とせずに新取付ベースへの警報器の取付や交換を従来と同様に容易に行うことができる。
【００４２】
請求項４に記載の発明によれば、前記一対のガス外部出力用ピンと一対の装着（電源）金具と、前記一対のガス外部出力ピン用接続穴と一対の装着（電源）金具用接続穴との対応関係は、従来のガス漏れ警報器とガス漏れ警報器用取付ベース（旧取付ベース）との対応関係と同様としているため、火災警報機能付きガス漏れ警報器用取付ベース（新取付ベース）にガス漏れ警報器（火災警報機能を持たない単なるガス漏れ警報器）をそのまま取り付けることができる。
【００４３】
請求項５に記載の発明によれば、一対の火災外部出力用ピンを、火災警報機能付きガス漏れ警報器用取付面の外周よりも内側で、且つガス漏れ警報器用取付面の外周よりも外側に設けたので、旧取付ベースに火災警報機能付きガス漏れ警報器をそのまま装着した場合でも、火災警報機能付きガス漏れ警報器の火災外部出力用ピンと旧取付ベースとが互いに干渉することが無いため、火災情報の外部出力が必要で無い場合には、旧取付ベースに火災警報機能付きガス漏れ警報器をそのまま装着することが可能である。
【００４４】
請求項６に記載の発明によれば、火災警報機能付きガス漏れ警報器に設けられた前記一対のガス外部出力用ピン及び一対の装着（電源）金具と、ガス漏れ警報器に設けられた前記一対のガス外部出力用ピン及び一対の装着（電源）金具とは同一の構成（規格）であり、且つ新取付ベースの前記一対のガス外部出力ピン用接続穴及び一対の装着（電源）金具用接続穴とは同一の構成（規格）であるため、前記火災警報機能付きガス漏れ警報器またはガス漏れ警報器の何れもを、新取付ベースに、そのまま装着することが可能である。
【００４５】
請求項７に記載の発明によれば、火災警報機能付きガス漏れ警報器に設けられた前記一対のガス外部出力用ピン及び一対の装着（電源）金具と、ガス漏れ警報器に設けられた前記一対のガス外部出力用ピン及び一対の装着（電源）金具とは同一の構成（規格）であり、且つ新取付ベースの前記一対のガス外部出力ピン用接続穴及び一対の装着（電源）金具用接続穴とは同一の構成（規格）であるため、また、火災警報機能付きガス漏れ警報器の火災外部出力用ピンと旧取付ベースとが互いに干渉することが無いため、火災警報機能付きガス漏れ警報器を旧取付ベースに、そのまま装着することが可能である。
【図面の簡単な説明】
【図１】本発明の火災警報機能付きガス漏れ警報器の裏面と火災警報機能付きガス漏れ警報器用取付ベースを示した図である。
【図２】火災警報機能付きガス漏れ警報器を天井に施工配線された火災警報機能付きガス漏れ警報器用取付ベースに装着した状態を示した図である。
【図３】火災警報機能付きガス漏れ警報器を天井に設けられた取付ベースに取り付けるところを示した図である。
【図４】ガス漏れ警報器を本発明である火災警報機能付きガス漏れ警報器用取付ベースに装着した状態を示した図である。
【図５】本発明である火災警報機能付きガス漏れ警報器をガス漏れ警報器用取付ベースに装着した状態を示した図である。
【図６】ガス漏れ警報器の一例を示した図である。
【図７】ガス漏れ警報器用取付ベースを示した図である。
【図８】ガス漏れ警報器用取付ベースの内部配線を示した図である。
【図９】照明器具を天井に設けられた取付ベースに取り付けるところを示した図である。
【図１０】ガス漏れ警報器を天井に施工配線されたガス漏れ警報器用取付ベースに装着した状態を示した図である。
【符号の説明】
１            火災警報機能付きガス漏れ警報器
２ａ          火災警報機能付きガス漏れ警報器用取付面
２ｂ          火災警報機能付きガス漏れ警報器用取付ベース
３ａ          ガス漏れ警報器用取付面
３ｂ          ガス漏れ警報器用取付ベース
４ａ          火災外部出力用ピン
４ｂ          火災外部出力ピン用接続穴
５            天井
６ａ          ガス外部出力用ピン
６ｂ          ガス外部出力ピン用接続穴
７ａ          装着（電源）金具
７ｂ          装着（電源）金具用接続穴
８ａ          折り曲げ部
８ｂ          挿入口
９            ガス外部出力用信号線
１０          電源用配線
１１          火災外部出力用信号線
２１          ガス漏れ警報器
２２          通風口
２３          スピーカ
２４          外部表示ランプ
２５          ガス漏れ警報器用取付ベース
２６，２７    端子
２８          挿入口
２９          ガイド穴
３０ａ        取付面
３０ｂ        取付ベース
３１          装着（電源）金具
３１ａ        折り曲げ部
３２          照明器具
【図１】
0003580471.tif 000002
【図２】
0003580471.tif 000003
【図３】
0003580471.tif 000004
【図４】
0003580471.tif 000005
【図５】
0003580471.tif 000006
【図６】
0003580471.tif 000007
【図７】
0003580471.tif 000008
【図８】
0003580471.tif 000009
【図９】
0003580471.tif 000010
【図１０】
0003580471.tif 000011